(57)【要約】【課題】メッセージサービスを利用する使用者の便利性を向上させることができる移動通信端末機のメッセージ送受信方法を提供する。【解決手段】移動通信端末機のメッセージ送受信方法は、メッセージを結合するとき、送信側移動通信端末機のメッセージ保管ボックスに保存されたメッセージを複数個選択する段階と、前記選択された複数のメッセージを、予め決定された指定子に基づいて、１つのメッセージに結合する段階と、前記結合されたメッセージを受信側移動通信端末機に送信する段階とを含み、メッセージを分割するとき、受信側移動通信端末機の第１メッセージ保管ボックスに保存されたいずれか１つのメッセージを、ディスプレイ装置に表示する段階と、前記表示されたメッセージを、使用者の選択により複数のメッセージに分割する段階と、前記分割された複数のメッセージを、前記受信側移動通信端末機の第２メッセージ保管ボックスに保存する段階とを含む。【選択図】図１
2006178977.tif 000002
【特許請求の範囲】
【請求項１】
送信側移動通信端末機のメッセージ保管ボックスに保存されたメッセージを複数個選択する段階と、
前記選択された複数のメッセージを、予め決定された指定子に基づいて、１つのメッセージに結合する段階と、
前記結合されたメッセージを受信側移動通信端末機に送信する段階と、
を含むことを特徴とする移動通信端末機のメッセージ送信方法。
【請求項２】
前記選択された複数のメッセージがショートメッセージであり、前記結合されたメッセージがマルチメディアメッセージであることを特徴とする請求項１に記載の移動通信端末機のメッセージ送信方法。
【請求項３】
前記メッセージ保管ボックスが、ＳＭＳメッセージ保管ボックスであることを特徴とする請求項１に記載の移動通信端末機のメッセージ送信方法。
【請求項４】
前記結合する段階は、
前記選択された複数のメッセージの容量が予め決定された最大伝送容量より小さいかどうかを判断する段階と、
前記選択された複数のメッセージの容量が前記予め決定された最大伝送容量より小さいか等しいとき、前記選択された複数のメッセージの個数と予め決定されたメッセージの個数とを比較する段階と、
前記選択された複数のメッセージの個数が前記予め決定されたメッセージの個数より大きいとき、受信側の電話番号や電子メールアドレスを入力する段階と、
前記入力された受信側の電話番号や電子メールアドレスに基づいて、前記選択された複数のメッセージを１つのメッセージに結合する段階と、
を含むことを特徴とする請求項１に記載の移動通信端末機のメッセージ送信方法。
【請求項５】
前記判断する段階で、前記選択された複数のメッセージの容量が前記予め決定された最大伝送容量より大きいと判断されたとき、前記メッセージ保管ボックスに保存されたメッセージを複数個選択する段階を行うことを特徴とする請求項４に記載の移動通信端末機のメッセージ送信方法。
【請求項６】
前記比較する段階で、前記選択された複数のメッセージの個数が前記予め決定されたメッセージの個数より小さいか等しいとき、前記選択された複数のメッセージを、ショートメッセージサービスにより前記受信側移動通信端末機に伝送する段階を行うことを特徴とする請求項４に記載の移動通信端末機のメッセージ送信方法。
【請求項７】
前記予め決定されたメッセージの個数は、前記選択された複数のメッセージを伝送する費用が前記１つのメッセージを伝送する費用より小さいように選択された、メッセージの最大個数であることを特徴とする請求項６に記載の移動通信端末機のメッセージ送信方法。
【請求項８】
前記伝送する段階は、
前記選択された複数のメッセージをショートメッセージサービスにより伝送するか否かを確認する段階と、
前記選択された複数のメッセージをショートメッセージサービスにより伝送すると確認されたとき、受信側の電話番号を入力する段階と、
前記入力された受信側の電話番号に基づいて、前記選択された複数のメッセージをショートメッセージサービスにより順次伝送する段階と、
を含むことを特徴とする請求項６に記載の移動通信端末機のメッセージ送信方法。
【請求項９】
前記結合する段階は、前記受信側の電話番号が入力されたとき、前記選択された複数のメッセージ間に予め決定された指定子が挿入された１つのメッセージに結合することを特徴とする請求項４に記載の移動通信端末機のメッセージ送信方法。
【請求項１０】
前記予め決定された指定子が、「＼ｃ」であることを特徴とする請求項９に記載の移動通信端末機のメッセージ送信方法。
【請求項１１】
前記結合する段階は、前記受信側の電子メールアドレスが入力されたとき、前記選択された複数のメッセージ間に予め決定された指定子が挿入された１つのメッセージに結合することを特徴とする請求項４に記載の移動通信端末機のメッセージ送信方法。
【請求項１２】
前記予め決定された指定子が、少なくとも１つ以上のエンターキーであることを特徴とする請求項１１に記載の移動通信端末機のメッセージ送信方法。
【請求項１３】
受信側移動通信端末機の第１メッセージ保管ボックスに保存されたいずれか１つのメッセージを、ディスプレイ装置に表示する段階と、
前記表示されたメッセージを、使用者の選択により複数のメッセージに分割する段階と、
前記分割された複数のメッセージを、前記受信側移動通信端末機の第２メッセージ保管ボックスに保存する段階と、
を含むことを特徴とする移動通信端末機のメッセージ受信方法。
【請求項１４】
前記表示されたメッセージがマルチメディアメッセージであり、前記分割された複数のメッセージがショートメッセージであることを特徴とする請求項１３に記載の移動通信端末機のメッセージ受信方法。
【請求項１５】
前記第１メッセージ保管ボックスがＭＭＳメッセージ保管ボックスであり、前記第２メッセージ保管ボックスがＳＭＳメッセージ保管ボックスであることを特徴とする請求項１３に記載の移動通信端末機のメッセージ受信方法。
【請求項１６】
前記表示する段階は、
前記選択されたメッセージが予め決定された指定子を含んでいるかどうかを判断する段階と、
前記選択されたメッセージが前記予め決定された指定子を含んでいるとき、メニューにメッセージ分割オプションを追加する段階と、
前記メッセージ分割オプションが追加されたメニューを有する前記選択されたメッセージを、ディスプレイ装置に表示する段階と、
を含むことを特徴とする請求項１３に記載の移動通信端末機のメッセージ受信方法。
【請求項１７】
前記判断する段階で、前記選択されたメッセージが前記予め決定された指定子を含んでいないと判断されたとき、前記選択されたメッセージをディスプレイ装置に表示する段階を行うことを特徴とする請求項１６に記載の移動通信端末機のメッセージ受信方法。
【請求項１８】
前記分割する段階は、使用者により前記メッセージ分割オプションが選択されたとき、前記選択されたメッセージを前記複数のメッセージに分割することを特徴とする請求項１６に記載の移動通信端末機のメッセージ受信方法。
【請求項１９】
前記分割する段階は、使用者により前記メッセージ分割オプションが選択されなかったとき、該当オプションを行うことを特徴とする請求項１６に記載の移動通信端末機のメッセージ受信方法。
【請求項２０】
前記該当オプションが、返事、再伝送、削除及び電話番号保存を含むことを特徴とする請求項１９に記載の移動通信端末機のメッセージ受信方法。
【請求項２１】
前記第１メッセージ保管ボックスに保存されたメッセージが、前記予め決定された指定子を含むか否かを示すアイコン又は文字をさらに含むことを特徴とする請求項１６に記載の移動通信端末機のメッセージ受信方法。
【請求項２２】
前記分割されたメッセージを前記受信側移動通信端末機の第２メッセージ保管ボックスに保存する段階をさらに含むことを特徴とする請求項１６に記載の移動通信端末機のメッセージ受信方法。
【請求項２３】
前記分割されたメッセージのリストを表示する段階と、
前記表示されたリストのうち、使用者により選択されたメッセージを予め決定された電子メールアドレスに伝送する段階と、
をさらに含むことを特徴とする請求項１６に記載の移動通信端末機のメッセージ受信方法。
【請求項２４】
前記伝送されたメッセージを前記受信側移動通信端末機の第２メッセージ保管ボックスに保存する段階をさらに含むことを特徴とする請求項２３に記載の移動通信端末機のメッセージ受信方法。
【請求項２５】
前記分割されたメッセージのリストを表示する段階と、
前記表示されたリストのうち、使用者により選択されたメッセージのみを前記受信側移動通信端末機の第２メッセージ保管ボックスに保存する段階と、
をさらに含むことを特徴とする請求項１６に記載の移動通信端末機のメッセージ受信方法。
【請求項２６】
前記分割されたメッセージのリストを表示する段階と、
前記表示されたリストのうち、使用者により選択されたメッセージを他の移動通信端末機に伝送する段階と、
をさらに含むことを特徴とする請求項１６に記載の移動通信端末機のメッセージ受信方法。
【請求項２７】
前記伝送されたメッセージを前記受信側移動通信端末機の第２メッセージ保管ボックスに保存する段階をさらに含むことを特徴とする請求項２６に記載の移動通信端末機のメッセージ受信方法。
【発明の詳細な説明】
【技術分野】
【０００１】
本発明は、移動通信端末機に関し、特に、メッセージサービスを利用する使用者の便利性を向上させ、別途の装置なしにメッセージ保管ボックスに保存されたメッセージをバックアップできる移動通信端末機のメッセージ送受信方法に関する。
【背景技術】
【０００２】
一般に、移動通信端末機は、基地局により形成されるサービスエリア内で移動しながら、ＭＳＣ（Ｍｏｂｉｌｅ  Ｓｗｉｔｃｈｉｎｇ  Ｃｅｎｔｅｒ）のスイッチング制御により、いつどこでも直ちに相手を無線呼出及び無線接続して通信できる装置であって、音声通信だけでなく、記号、数字、文字などが含まれるデータ通信、及び画像信号が含まれるマルチメディア通信が可能である。
【０００３】
このような移動通信端末機で提供される付加サービスのうち最も多く用いられているショートメッセージサービス（Ｓｈｏｒｔ  Ｍｅｓｓａｇｅ  Ｓｅｒｖｉｃｅ；ＳＭＳ）は、記号、数字、文字及び図形などを利用して、相手方に所望の内容のメッセージを簡単かつ正確に伝達する。前記ショートメッセージサービスは、チャネル占有時間が非常に短いため、通信費用が安価で、非実時間伝送方式であるため、相手方のフックオフに関係なく相手方に所望の内容を正確に伝達できるという利点がある。
【０００４】
このような利点を有する従来の移動通信端末機においては、ショートメッセージ保管ボックスに保存されたショートメッセージを、使用者の選択により再伝送することができる。即ち、送信側移動通信端末機において、前記ショートメッセージ保管ボックスに保存されたショートメッセージのうち、再伝送しようとする１つのショートメッセージを選択し、前記選択されたショートメッセージを編集し、受信側の電話番号を入力した後に、前記編集されたショートメッセージを受信側移動通信端末機に伝送することにより、前記受信側移動通信端末機は、前記編集されたショートメッセージを受信し、前記受信されたショートメッセージをショートメッセージ保管ボックスに保存することができる。
【０００５】
また、従来の移動通信端末機においては、前記ショートメッセージ保管ボックスの保存容量に限界があるため、前記ショートメッセージ保管ボックスに保存されたショートメッセージを、ＵＳＢ（Ｕｎｉｖｅｒｓａｌ  Ｓｅｒｉａｌ  Ｂｕｓ）ポートやＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）ポートを通して、パソコン（Ｐｅｒｓｏｎａｌ  Ｃｏｍｐｕｔｅｒ；ＰＣ）にバックアップできるようになっている。
【発明の開示】
【発明が解決しようとする課題】
【０００６】
しかしながら、このような従来の移動通信端末機においては、ショートメッセージ保管ボックスに保存されたショートメッセージのうち１つのショートメッセージを選択し、前記選択されたショートメッセージを伝送することによって、複数のショートメッセージを伝送するためには、毎回、各ショートメッセージを選択し、前記選択されたショートメッセージを伝送しなければならないため、複数のショートメッセージを再伝送することが不便であるという問題点があった。
【０００７】
また、従来の移動通信端末機は、ショートメッセージ保管ボックスに保存されたショートメッセージをパソコンにバックアップするために、ＵＳＢポートやＵＡＲＴポートのような別途の装置を必要とするという不都合な点があった。
【０００８】
本発明は、このような従来技術の問題点を解決するためになされたもので、複数のメッセージを１つのメッセージに結合するか、又は１つのメッセージを複数のメッセージに分割することにより、メッセージサービスを利用する使用者の便利性を向上させることができる移動通信端末機のメッセージ送受信方法を提供することを目的とする。
【０００９】
本発明の他の目的は、複数のメッセージを１つのメッセージに結合し、前記結合された１つのメッセージを受信側の電子メールに伝送することにより、別途の装置なしにメッセージ保管ボックスに保存されたメッセージをバックアップできる移動通信端末機のメッセージ送受信方法を提供することにある。
【課題を解決するための手段】
【００１０】
このような目的を達成するために、本発明による移動通信端末機のメッセージ送信方法は、送信側移動通信端末機のメッセージ保管ボックスに保存されたメッセージを複数個選択する段階と、前記選択された複数のメッセージを、予め決定された指定子（ｓｐｅｃｉｆｉｅｒ）に基づいて、１つのメッセージに結合する段階と、前記結合されたメッセージを受信側移動通信端末機に送信する段階とを含むことを特徴とする。
【００１１】
また、本発明による移動通信端末機のメッセージ受信方法は、受信側移動通信端末機の第１メッセージ保管ボックスに保存されたいずれか１つのメッセージを選択する段階と、前記選択されたメッセージをディスプレイ装置に表示する段階と、前記表示されたメッセージを、使用者の選択により複数のメッセージに分割する段階と、前記分割された複数のメッセージを、前記受信側移動通信端末機の第２メッセージ保管ボックスに保存する段階とを含むことを特徴とする。
【００１２】
上記目的を達成するために、本発明は、例えば、以下の手段を提供する。
【００１３】
（項目１）
送信側移動通信端末機のメッセージ保管ボックスに保存されたメッセージを複数個選択する段階と、
前記選択された複数のメッセージを、予め決定された指定子に基づいて、１つのメッセージに結合する段階と、
前記結合されたメッセージを受信側移動通信端末機に送信する段階と、
を含むことを特徴とする移動通信端末機のメッセージ送信方法。
【００１４】
（項目２）
前記選択された複数のメッセージがショートメッセージであり、前記結合されたメッセージがマルチメディアメッセージであることを特徴とする項目１に記載の移動通信端末機のメッセージ送信方法。
【００１５】
（項目３）
前記メッセージ保管ボックスが、ＳＭＳメッセージ保管ボックスであることを特徴とする項目１に記載の移動通信端末機のメッセージ送信方法。
【００１６】
（項目４）
前記結合する段階は、
前記選択された複数のメッセージの容量が予め決定された最大伝送容量より小さいかどうかを判断する段階と、
前記選択された複数のメッセージの容量が前記予め決定された最大伝送容量より小さいか等しいとき、前記選択された複数のメッセージの個数と予め決定されたメッセージの個数とを比較する段階と、
前記選択された複数のメッセージの個数が前記予め決定されたメッセージの個数より大きいとき、受信側の電話番号や電子メールアドレスを入力する段階と、
前記入力された受信側の電話番号や電子メールアドレスに基づいて、前記選択された複数のメッセージを１つのメッセージに結合する段階と、
を含むことを特徴とする項目１に記載の移動通信端末機のメッセージ送信方法。
【００１７】
（項目５）
前記判断する段階で、前記選択された複数のメッセージの容量が前記予め決定された最大伝送容量より大きいと判断されたとき、前記メッセージ保管ボックスに保存されたメッセージを複数個選択する段階を行うことを特徴とする項目４に記載の移動通信端末機のメッセージ送信方法。
【００１８】
（項目６）
前記比較する段階で、前記選択された複数のメッセージの個数が前記予め決定されたメッセージの個数より小さいか等しいとき、前記選択された複数のメッセージを、ショートメッセージサービスにより前記受信側移動通信端末機に伝送する段階を行うことを特徴とする項目４に記載の移動通信端末機のメッセージ送信方法。
【００１９】
（項目７）
前記予め決定されたメッセージの個数は、前記選択された複数のメッセージを伝送する費用が前記１つのメッセージを伝送する費用より小さいように選択された、メッセージの最大個数であることを特徴とする項目６に記載の移動通信端末機のメッセージ送信方法。
【００２０】
（項目８）
前記伝送する段階は、
前記選択された複数のメッセージをショートメッセージサービスにより伝送するか否かを確認する段階と、
前記選択された複数のメッセージをショートメッセージサービスにより伝送すると確認されたとき、受信側の電話番号を入力する段階と、
前記入力された受信側の電話番号に基づいて、前記選択された複数のメッセージをショートメッセージサービスにより順次伝送する段階と、
を含むことを特徴とする項目６に記載の移動通信端末機のメッセージ送信方法。
【００２１】
（項目９）
前記結合する段階は、前記受信側の電話番号が入力されたとき、前記選択された複数のメッセージ間に予め決定された指定子が挿入された１つのメッセージに結合することを特徴とする項目４に記載の移動通信端末機のメッセージ送信方法。
【００２２】
（項目１０）
前記予め決定された指定子が、「＼ｃ」であることを特徴とする項目９に記載の移動通信端末機のメッセージ送信方法。
【００２３】
（項目１１）
前記結合する段階は、前記受信側の電子メールアドレスが入力されたとき、前記選択された複数のメッセージ間に予め決定された指定子が挿入された１つのメッセージに結合することを特徴とする項目４に記載の移動通信端末機のメッセージ送信方法。
【００２４】
（項目１２）
前記予め決定された指定子が、少なくとも１つ以上のエンターキーであることを特徴とする項目１１に記載の移動通信端末機のメッセージ送信方法。
【００２５】
（項目１３）
受信側移動通信端末機の第１メッセージ保管ボックスに保存されたいずれか１つのメッセージを、ディスプレイ装置に表示する段階と、
前記表示されたメッセージを、使用者の選択により複数のメッセージに分割する段階と、
前記分割された複数のメッセージを、前記受信側移動通信端末機の第２メッセージ保管ボックスに保存する段階と、
を含むことを特徴とする移動通信端末機のメッセージ受信方法。
【００２６】
（項目１４）
前記表示されたメッセージがマルチメディアメッセージであり、前記分割された複数のメッセージがショートメッセージであることを特徴とする項目１３に記載の移動通信端末機のメッセージ受信方法。
【００２７】
（項目１５）
前記第１メッセージ保管ボックスがＭＭＳメッセージ保管ボックスであり、前記第２メッセージ保管ボックスがＳＭＳメッセージ保管ボックスであることを特徴とする項目１３に記載の移動通信端末機のメッセージ受信方法。
【００２８】
（項目１６）
前記表示する段階は、
前記選択されたメッセージが予め決定された指定子を含んでいるかどうかを判断する段階と、
前記選択されたメッセージが前記予め決定された指定子を含んでいるとき、メニューにメッセージ分割オプションを追加する段階と、
前記メッセージ分割オプションが追加されたメニューを有する前記選択されたメッセージを、ディスプレイ装置に表示する段階と、
を含むことを特徴とする項目１３に記載の移動通信端末機のメッセージ受信方法。
【００２９】
（項目１７）
前記判断する段階で、前記選択されたメッセージが前記予め決定された指定子を含んでいないと判断されたとき、前記選択されたメッセージをディスプレイ装置に表示する段階を行うことを特徴とする項目１６に記載の移動通信端末機のメッセージ受信方法。
【００３０】
（項目１８）
前記分割する段階は、使用者により前記メッセージ分割オプションが選択されたとき、前記選択されたメッセージを前記複数のメッセージに分割することを特徴とする項目１６に記載の移動通信端末機のメッセージ受信方法。
【００３１】
（項目１９）
前記分割する段階は、使用者により前記メッセージ分割オプションが選択されなかったとき、該当オプションを行うことを特徴とする項目１６に記載の移動通信端末機のメッセージ受信方法。
【００３２】
（項目２０）
前記該当オプションが、返事、再伝送、削除及び電話番号保存を含むことを特徴とする項目１９に記載の移動通信端末機のメッセージ受信方法。
【００３３】
（項目２１）
前記第１メッセージ保管ボックスに保存されたメッセージが、前記予め決定された指定子を含むか否かを示すアイコン又は文字をさらに含むことを特徴とする項目１６に記載の移動通信端末機のメッセージ受信方法。
【００３４】
（項目２２）
前記分割されたメッセージを前記受信側移動通信端末機の第２メッセージ保管ボックスに保存する段階をさらに含むことを特徴とする項目１６に記載の移動通信端末機のメッセージ受信方法。
【００３５】
（項目２３）
前記分割されたメッセージのリストを表示する段階と、
前記表示されたリストのうち、使用者により選択されたメッセージを予め決定された電子メールアドレスに伝送する段階と、
をさらに含むことを特徴とする項目１６に記載の移動通信端末機のメッセージ受信方法。
【００３６】
（項目２４）
前記伝送されたメッセージを前記受信側移動通信端末機の第２メッセージ保管ボックスに保存する段階をさらに含むことを特徴とする項目２３に記載の移動通信端末機のメッセージ受信方法。
【００３７】
（項目２５）
前記分割されたメッセージのリストを表示する段階と、
前記表示されたリストのうち、使用者により選択されたメッセージのみを前記受信側移動通信端末機の第２メッセージ保管ボックスに保存する段階と、
をさらに含むことを特徴とする項目１６に記載の移動通信端末機のメッセージ受信方法。
【００３８】
（項目２６）
前記分割されたメッセージのリストを表示する段階と、
前記表示されたリストのうち、使用者により選択されたメッセージを他の移動通信端末機に伝送する段階と、
をさらに含むことを特徴とする項目１６に記載の移動通信端末機のメッセージ受信方法。
【００３９】
（項目２７）
前記伝送されたメッセージを前記受信側移動通信端末機の第２メッセージ保管ボックスに保存する段階をさらに含むことを特徴とする項目２６に記載の移動通信端末機のメッセージ受信方法。
【発明の効果】
【００４０】
本発明による移動通信端末機のメッセージ送受信方法においては、複数のショートメッセージを１つのマルチメディアメッセージに結合するか、又は１つのマルチメディアメッセージを複数のショートメッセージに分割することにより、複数のショートメッセージを同時に伝送することができるため、メッセージサービスを利用する使用者の便利性を向上させることができるという効果がある。
【００４１】
また、本発明による移動通信端末機のメッセージ送受信方法は、複数のショートメッセージを１つのマルチメディアメッセージに結合し、前記結合された１つのマルチメディアメッセージを受信側の電子メールに伝送することにより、ショートメッセージ保管ボックスに保存されたショートメッセージを、マルチメディアメッセージサービスを通して、別途の装置なしにバックアップできるという効果がある。
【発明を実施するための最良の形態】
【００４２】
以下、複数のメッセージを１つのメッセージに結合するか、又は１つのメッセージを複数のメッセージに分割することにより、メッセージサービスを利用する使用者の便利性を向上させ、別途の装置なしにメッセージをバックアップできる移動通信端末機のメッセージ送受信方法の好ましい実施形態を、複数のショートメッセージを１つのマルチメディアメッセージに結合する方法と、１つのマルチメディアメッセージを複数のショートメッセージに分割する方法とに区分して、添付の図面を参照して説明する。
【００４３】
ここで、マルチメディアメッセージサービス（Ｍｕｌｔｉｍｅｄｉａ  Ｍｅｓｓａｇｉｎｇ  Ｓｅｒｖｉｃｅ；ＭＭＳ）は、ショートメッセージサービス（Ｓｈｏｒｔ  Ｍｅｓｓａｇｅ  Ｓｅｒｖｉｃｅ；ＳＭＳ）より一段階発展したサービスであり、既存の文字メッセージサービスに、動画像、音楽、グラフィック及び写真などの多様なマルチメディアデータまでやり取りすることができるメッセージングサービスである。
【００４４】
図１は、本発明による移動通信端末機のメッセージ送信方法を示すフローチャートである。
【００４５】
図１に示すように、本発明による移動通信端末機のメッセージ送信方法は、送信側移動通信端末機のショートメッセージ保管ボックスに保存されたショートメッセージを複数個選択する段階（ステップＳ１１）と、前記選択された複数のショートメッセージの容量が予め決定された最大伝送容量より小さいかどうかを判断する段階（ステップＳ１２）と、前記選択された複数のショートメッセージの容量が予め決定された最大伝送容量より小さいとき、前記選択された複数のショートメッセージの個数が予め決定された個数より大きいかどうかを判断する段階（ステップＳ１３）と、前記選択された複数のショートメッセージの個数が予め決定された個数より大きいとき、受信側の電話番号や電子メールアドレスを入力する段階（ステップＳ１４）と、前記入力された受信側の電話番号や電子メールアドレスに基づいて、前記選択された複数のショートメッセージを予め決定されたマルチメディアメッセージに結合する段階（ステップＳ１５）と、前記結合されたマルチメディアメッセージを受信側移動通信端末機に送信する段階（ステップＳ１６）とを含む。
【００４６】
ここで、前記判断する段階（ステップＳ１３）は、前記選択された複数のショートメッセージの個数が予め決定された個数より小さいとき、前記選択された複数のショートメッセージをショートメッセージサービスにより伝送するか否かを確認する段階（ステップＳ１７）と、前記選択された複数のショートメッセージをショートメッセージサービスにより伝送すると確認されたとき、受信側の電話番号を入力する段階（ステップＳ１８）と、前記入力された受信側の電話番号に基づいて、前記選択された複数のショートメッセージをショートメッセージサービスにより順次伝送する段階（ステップＳ１９）とを含む。
【００４７】
以下、このような本発明による移動通信端末機のメッセージ送信方法をより詳しく説明する。
【００４８】
まず、使用者により、前記送信側移動通信端末機のショートメッセージ保管ボックスに保存されたショートメッセージのうち、再伝送しようとするショートメッセージが複数個選択されると（ステップＳ１１）、前記送信側移動通信端末機は、前記選択された複数のショートメッセージの容量を測定し、前記測定された容量を予め決定された最大伝送容量と比較する（ステップＳ１２）。即ち、前記選択された複数のショートメッセージは、１つのマルチメディアメッセージに結合されるため、前記マルチメディアメッセージの最大伝送容量を超過してはいけない。
【００４９】
例えば、移動通信サービス会社が、前記ショートメッセージの容量を８０Ｂｙｔｅ、前記マルチメディアメッセージの容量を５１２０Ｂｙｔｅにそれぞれ予め決定しておくことにより、前記送信側移動通信端末機は、予め決定された最大伝送容量が５１２０Ｂｙｔｅ以下の範囲で前記ショートメッセージを伝送することができる。
【００５０】
そこで、前記送信側移動通信端末機は、前記測定された容量が予め決定された最大伝送容量より大きいとき、前記再伝送しようとするショートメッセージを再び選択することを使用者に要求し、前記測定された容量が予め決定された最大伝送容量より小さいか等しいとき、前記選択された複数のショートメッセージの個数と前記予め決定された個数とを比較する（ステップＳ１３）。
【００５１】
その後、前記送信側移動通信端末機は、前記選択された複数のショートメッセージの個数が前記予め決定された個数より大きいとき、前記選択された複数のショートメッセージをマルチメディアメッセージサービスにより伝送するための受信側の電話番号や電子メールアドレスの入力を受ける（ステップＳ１４）。
【００５２】
その後、前記送信側移動通信端末機は、前記入力された受信側の電話番号や電子メールアドレスに基づいて、前記選択された複数のショートメッセージを、予め決定された指定子を含む１つのマルチメディアメッセージに結合する（ステップＳ１５）。即ち、前記移動通信端末機は、前記受信側の電話番号が入力されたとき、前記予め決定された指定子として「＼ｃ」を１つのショートメッセージ毎に挿入し、前記受信側の電子メールアドレスが入力されたとき、前記予め決定された指定子として少なくとも１つ以上のエンターキーを挿入することにより、前記選択された複数のショートメッセージを区分しやすくする。
【００５３】
且つ、前記送信側移動通信端末機は、前記選択された複数のショートメッセージを保存できるショートメッセージ保管ボックスの容量に限界があるため、前記選択された複数のショートメッセージを自分の電子メールに伝送することにより、使用者は前記ショートメッセージをバックアップできるという利点がある。
【００５４】
結局、前記送信側移動通信端末機は、前記結合されたマルチメディアメッセージを、マルチメディアメッセージサービスにより前記受信側移動通信端末機に送信する（ステップＳ１６）。
【００５５】
反面、前記送信側移動通信端末機は、前記選択された複数のショートメッセージの個数が前記予め決定された個数より小さいか等しいとき、前記選択された複数のショートメッセージをショートメッセージサービスにより伝送するか否かを使用者に確認する（ステップＳ１７）。即ち、前記送信側移動通信端末機は、前記選択された複数のショートメッセージを伝送する費用が、１つのマルチメディアメッセージを伝送する費用より安いとき、使用者にショートメッセージサービス及びマルチメディアメッセージサービスのいずれか１つを選択する選択権を与えることである。
【００５６】
例えば、１つのショートメッセージを伝送する費用が３０で、１つのマルチメディアメッセージを伝送する費用が２００のとき、合計７件のショートメッセージを伝送するための費用は２１０であるので、７件以上のショートメッセージは１つのマルチメディアメッセージとして伝送することが費用的な側面で有利であることが分かる。
【００５７】
その後、前記送信側移動通信端末機は、前記選択された複数のショートメッセージをショートメッセージサービスにより伝送すると確認されたとき、前記選択された複数のショートメッセージをショートメッセージサービスにより伝送するために、受信側の電話番号の入力を受ける（ステップＳ１８）。
【００５８】
結局、前記送信側移動通信端末機は、前記選択された複数のショートメッセージを、ショートメッセージサービスにより前記受信側移動通信端末機に順次送信する（ステップＳ１９）。
【００５９】
以下、このような送信側移動通信端末機から受信されたマルチメディアメッセージを分割する方法について図２を参照して説明する。
【００６０】
図２は、本発明による移動通信端末機のメッセージ受信方法を示すフローチャートである。
【００６１】
図２に示すように、本発明による移動通信端末機のメッセージ受信方法は、マルチメディアメッセージ保管ボックスに保存されたマルチメディアメッセージのうちいずれか１つを選択する段階（ステップＳ２１）と、前記選択されたマルチメディアメッセージに予め決定された指定子が含まれたか否かを確認する段階（ステップＳ２２）と、前記選択されたマルチメディアメッセージに前記予め決定された指定子が含まれたとき、メニューにメッセージ分割オプションを追加する段階（ステップＳ２３）と、前記選択されたマルチメディアメッセージを表示する段階（ステップＳ２４）と、前記追加されたメッセージ分割オプションが選択されたか否かを判断する段階（ステップＳ２５）と、前記メッセージ分割オプションが選択されたとき、前記予め決定された指定子に基づいて、前記表示されたマルチメディアメッセージをショートメッセージに分割する段階（ステップＳ２６）と、前記分割された複数のショートメッセージをショートメッセージ保管ボックスに保存する段階（ステップＳ２７）とを含む。
【００６２】
ここで、前記判断する段階（ステップＳ２５）で、前記メッセージ分割オプションが選択されなかったとき、該当オプションを実行する（ステップＳ２８）。
【００６３】
以下、このような本発明による移動通信端末機のメッセージ受信方法をより詳しく説明する。
【００６４】
まず、前記受信側移動通信端末機は、前記送信側移動通信端末機からマルチメディアメッセージを受信し、前記受信されたマルチメディアメッセージを前記マルチメディアメッセージ保管ボックスに保存する。
【００６５】
このとき、本発明による移動通信端末機は、前記受信されたマルチメディアメッセージを、予め決定された指定子を含むか否かを示すアイコン又は文字などと共に保存することができるが、このようなマルチメディアメッセージの受信原理を図３Ａ及び図３Ｂを参照して説明する。
【００６６】
図３Ａ及び図３Ｂは本発明による移動通信端末機のマルチメディアメッセージの受信原理を説明する図である。
【００６７】
図３Ａに示すように、本発明による移動通信端末機は、受信されたマルチメディアメッセージが予め決定された指定子を含むか否かを確認した後、前記確認の結果によって、前記受信されたマルチメディアメッセージが一般マルチメディアメッセージであるか結合ＭＭＳメッセージであるかを示すアイコン又は文字と共に、前記受信されたマルチメディアメッセージを前記マルチメディアメッセージ保管ボックスに保存できることが分かる。
【００６８】
使用者により、前記受信側移動通信端末機のマルチメディアメッセージ保管ボックスに保存されたマルチメディアメッセージのうち、読もうとするいずれか１つのマルチメディアメッセージが選択されると（ステップＳ２１）、前記受信側移動通信端末機は、前記選択されたマルチメディアメッセージに予め決定された指定子が含まれているかどうかを判断する（ステップＳ２２）。
【００６９】
前記受信側移動通信端末機は、前記選択されたマルチメディアメッセージに予め決定された指定子が含まれていると、メニューにメッセージ分割オプションを追加し（ステップＳ２３）、前記選択されたマルチメディアメッセージを表示し、前記選択されたマルチメディアメッセージに予め決定された指定子が含まれていないと、前記選択されたマルチメディアメッセージを表示する（ステップＳ２４）。
【００７０】
このとき、使用者により、前記メニューにあるオプション（例えば、返事、再伝送、削除、番号保存、メッセージ分割など）のうちいずれか１つのオプションが選択されると、前記受信側移動通信端末機は、前記表示されたマルチメディアメッセージを選択されたオプションによって処理する。
【００７１】
ここで、前記受信側移動通信端末機は、前記追加されたメッセージ分割オプションが選択されたか否かを確認する（ステップＳ２５）。即ち、前記受信側移動通信端末機は、前記メッセージ分割オプションが選択されたとき、前記マルチメディアメッセージを前記予め決定された指定子に基づいてショートメッセージに分割し（ステップＳ２６）、前記メッセージ分割オプションが選択されなかったとき、前記メッセージ分割オプションを除いた該当オプション（例えば、返事、再伝送、削除、番号保存）を実行する。
【００７２】
また、使用者が前記メッセージ分割オプションを選択した場合、前記ショートメッセージ保管ボックスのメッセージ容量によって、前記予め決定された指定子を含むマルチメディアメッセージに含まれた複数のショートメッセージのうち、一部のメッセージのみを保存することもできる。
【００７３】
図３Ｂに示すように、本発明による移動通信端末機は、前記予め決定された指定子を含むマルチメディアメッセージに含まれた複数のショートメッセージのリストを表示し、前記表示されたリストのうち、使用者により選択されたショートメッセージを使用者の電子メールに伝送してバックアップした後に保存できることが分かる。
【００７４】
また、前記受信側移動通信端末機は、前記予め決定された指定子を含むマルチメディアメッセージに含まれた複数のショートメッセージのリストを表示し、前記表示されたリストのうち、使用者により選択されたショートメッセージを保存することができる。
【００７５】
さらに、前記受信側移動通信端末機は、前記予め決定された指定子を含むマルチメディアメッセージに含まれた複数のショートメッセージのリストを表示し、前記表示されたリストのうち、使用者により選択されたショートメッセージのみを他の移動通信端末機に伝送した後に保存することができる。
【００７６】
結局、前記受信側移動通信端末機は、前記分割された複数のショートメッセージを前記ショートメッセージ保管ボックスに保存する（ステップＳ２７）。
【００７７】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００７８】
複数のメッセージを１つのメッセージに結合するか、又は１つのメッセージを複数のメッセージに分割することにより、メッセージサービスを利用する使用者の便利性を向上させることができる移動通信端末機のメッセージ送受信方法を提供する。
【００７９】
移動通信端末機のメッセージ送受信方法は、メッセージを結合するとき、送信側移動通信端末機のメッセージ保管ボックスに保存されたメッセージを複数個選択する段階と、前記選択された複数のメッセージを、予め決定された指定子に基づいて、１つのメッセージに結合する段階と、前記結合されたメッセージを受信側移動通信端末機に送信する段階とを含み、メッセージを分割するとき、受信側移動通信端末機の第１メッセージ保管ボックスに保存されたいずれか１つのメッセージを、ディスプレイ装置に表示する段階と、前記表示されたメッセージを、使用者の選択により複数のメッセージに分割する段階と、前記分割された複数のメッセージを、前記受信側移動通信端末機の第２メッセージ保管ボックスに保存する段階とを含む。
【図面の簡単な説明】
【００８０】
【図１】本発明による移動通信端末機のメッセージ送信方法を示すフローチャートである。
【図２】本発明による移動通信端末機のメッセージ受信方法を示すフローチャートである。
【図３Ａ】本発明による移動通信端末機のマルチメディアメッセージの受信原理を説明する図である。
【図３Ｂ】本発明による移動通信端末機のマルチメディアメッセージの受信原理を説明する図である。
【図１】
2006178977.tif 000003
【図２】
2006178977.tif 000004
【図３Ａ】
2006178977.tif 000005
【図３Ｂ】
2006178977.tif 000006